(57)【要約】【課題】金属製の外ケースによるデザイン向上を図るとともに、本体の剛性強化と絶縁強化とを図り得るようにする。【解決手段】調理容器２が載置される天面プレート３を有し且つ前記調理容器２を誘導加熱するＩＨコイル４を内部に有する本体１の外郭部材８を、前記ＩＨコイル４を支持するためのコイルダイ９およびフェライトコア５を支持するためのコアダイ１０，１０・・とともに合成樹脂の一体成形品により構成するとともに、前記外郭部材８における側周部を下方に向かうに従って径が大きくなる袴部８ａで構成し且つ該袴部８ａの外周に金属製の外ケース１１を取り付けて、外ケース１１の形状保持が容易に行え、金属製の外ケース１１を用いることによるデザイン性の向上を図るとともに、外郭部材８が金属製の外ケース１１に対する絶縁物として作用し得るようにしている。【選択図】        図２
2004349103.tif 000002
【特許請求の範囲】
【請求項１】
調理容器が載置される天面プレートを有し且つ前記調理容器を誘導加熱する電磁誘導コイルを内部に有する本体と、該電磁誘導コイルの下方に位置して該電磁誘導コイルの磁界の下方への伝搬を遮断するフェライトコアと、前記調理容器の温度を検出する温度検出手段とを備えた誘導加熱式調理器であって、前記本体の外郭部材を、前記電磁誘導コイルを支持するためのコイルダイおよび前記フェライトコアを支持するためのコアダイとともに合成樹脂の一体成形品により構成するとともに、前記外郭部材における側周部を下方に向かうに従って径が大きくなる袴部で構成し且つ該袴部の外周には金属製の外ケースを取り付けたことを特徴とする誘導加熱式調理器。
【請求項２】
前記コイルダイの中央部には、前記温度検知手段を取り付けたことを特徴とする前記請求項１記載の誘導加熱式調理器。
【請求項３】
前記天面プレートの外周縁部を、前記外郭部材と該外郭部材に取り付けられる環状の位置決め部材との間に挟持固定したことを特徴とする前記請求項１および２のいずれか一項記載の誘導加熱式調理器。
【請求項４】
前記外郭部材の側周部には、操作パネル部を取り付けるための切欠部を形成したことを特徴とする前記請求項１、２および３のいずれか一項記載の誘導加熱式調理器。
【発明の詳細な説明】
【０００１】
【発明の属する技術分野】
本願発明は、電磁誘導コイルを加熱源とする誘導加熱式調理器に関するものである。
【０００２】
【従来の技術】
調理容器が載置される天面プレートを有し且つ前記調理容器を誘導加熱する電磁誘導コイルを内部に有する本体と、該電磁誘導コイルの下方に位置して該電磁誘導コイルの磁界の下方への伝搬を遮断するフェライトコアと、前記調理容器の温度を検出する温度検出手段とを備えた誘導加熱式調理器は従来からよく知られている（例えば、特許文献１参照）。
【０００３】
【特許文献１】
特開平８−２２２３６２号公報（段落番号「００１５」〜「００１８」、図１）。
【０００４】
【発明が解決しようとする課題】
上記特許文献１に開示されている誘導加熱式調理器の場合、本体の外郭部材が合成樹脂製の円筒形状の外ケースとされているが、デザイン上から金属製の円錐台形状の外ケースを用いたいという要求がある。
【０００５】
ところが、本体の外郭部材を金属製の円錐台形状の外ケースのみで構成しようとすると、外ケースの形状保持が難しくなるという不具合が生ずる。また、金属製の外ケースで外郭部材を構成すると、内部に配設される電気部品（例えば、電磁誘導コイル等）との絶縁距離を確保する必要があるところから、構造的な制約が大きく、コンパクト化が難しくなるという不具合もある。
【０００６】
本願発明は、上記の点に鑑みてなされたもので、金属製の外ケースによるデザイン向上を図るとともに、本体の剛性強化と絶縁強化とを図り得るようにすることを目的とするものである。
【０００７】
【課題を解決するための手段】
本願発明では、上記課題を解決するための第１の手段として、調理容器が載置される天面プレートを有し且つ前記調理容器を誘導加熱する電磁誘導コイルを内部に有する本体と、該電磁誘導コイルの下方に位置して該電磁誘導コイルの磁界の下方への伝搬を遮断するフェライトコアと、前記調理容器の温度を検出する温度検出手段とを備えた誘導加熱式調理器において、前記本体の外郭部材を、前記電磁誘導コイルを支持するためのコイルダイおよび前記フェライトコアを支持するためのコアダイとともに合成樹脂の一体成形品により構成するとともに、前記外郭部材における側周部を下方に向かうに従って径が大きくなる袴部で構成し且つ該袴部の外周に金属製の外ケースを取り付けている。
【０００８】
上記のように構成したことにより、外郭部材における側周部である袴部の外周に金属製の外ケースを取り付けることができることとなり、金属製の外ケースの形状保持が容易に行えることとなる。従って、金属製の外ケースを用いることによるデザイン性の向上を図り得るとともに、外郭部材が金属製の外ケースに対する絶縁物として作用することとなる。また、外郭部材と電磁誘導コイルを支持するためのコイルダイとフェライトコアを支持するためのコアダイとを合成樹脂の一体成形品により構成できることとなり、部品点数および組付工数の低減を図ることができる。
【０００９】
本願発明では、さらに、上記課題を解決するための第２の手段として、上記第１の手段を備えた誘導加熱式調理器において、前記コイルダイの中央部に、前記温度検知手段を取り付けることもでき、そのようにした場合、外郭部材と一体構成のコイルダイを温度検知手段の取付部材として利用できることとなり、さらなる部品点数および組付工数の低減を図り得ることとなる。
【００１０】
本願発明では、さらに、上記課題を解決するための第３の手段として、上記第１又は第２の手段を備えた誘導加熱式調理器において、前記天面プレートの外周縁部を、前記外郭部材と該外郭部材に取り付けられる環状の位置決め部材との間に挟持固定することもでき、そのようにした場合、天面プレートと外郭部材との結合構造を簡略化できることとなり、組付作業性が向上する。
【００１１】
本願発明では、さらに、上記課題を解決するための第４の手段として、上記第１、第２又は第３の手段を備えた誘導加熱式調理器において、前記外郭部材の側周部に、操作パネル部を取り付けるための切欠部を形成することもでき、そのようにした場合、外郭部材を操作パネル部の位置決め部材として利用できることとなり、構造の簡略化を図ることができる。
【００１２】
【発明の実施の形態】
以下、添付の図面を参照して、本願発明の好適な実施の形態について詳述する。
【００１３】
この誘導加熱式調理器は、図１ないし図６に示すように、調理容器２が載置される天面プレート３を有し且つ前記調理容器２を誘導加熱する電磁誘導コイル（以下、ＩＨコイルという）４を内部に有する本体１と、該ＩＨコイル４の下方に位置して該ＩＨコイル４の磁界の下方への伝搬を遮断するフェライトコア５，５・・と、前記調理容器２の温度を検出する温度検出手段として作用する温度センサー６とを備えて構成されている。符号７は合成樹脂製の底ケースである。
【００１４】
前記本体１の外郭部材８は、前記ＩＨコイル４を支持するためのコイルダイ９および前記フェライトコア５を支持するためのコアダイ１０とともに合成樹脂の一体成形品により構成されており、その側周部は、下方に向かうに従って径が大きくなる袴部８ａとされている。該袴部８ａの外周には、金属製（例えば、ステンレス製）の外ケース１１が取り付けられている。前記コイルダイ９およびコアダイ１０は、前記外郭部材８における袴部８ａの上端部に対して連結部１４を介して一体に連結されている。
【００１５】
前記コイルダイ９は、上方が開放され、下面に６本のコアダイ１０，１０・・を放射状に設けてなっており、ＩＨコイル４，４は、前記コアダイ１０，１０・・上に配設されることとなっている。このようにすると、コイルダイ９に配設されたＩＨコイル４，４の下面におけるコアダイ１０，１０・・を除く部位が開放状態とされることとなる。従って、ＩＨコイル４，４の冷却が容易かつ確実となる。
【００１６】
また、前記コイルダイ９の中央部には、前記温度センサー６を含むセンサーユニット１２が取り付けられている。該センサーユニット１２は、前記温度センサー６と、該温度センサー６を上下動可能に支持するセンサー支持具１８と、該センサー支持具１８を取り付けるためのセンサー支持筒１９とを備えており、前記温度センサー６は、前記天面プレート３の中心部に形成されたセンサー穴２０に臨まされている。このようにすると、外郭部材８と一体構成のコイルダイ９を温度センサー６の取付部材として利用できることとなり、さらなる部品点数および組付工数の低減を図り得ることとなる。
【００１７】
また、前記センサー支持筒１９は、前記センサー支持具１８が取り付けられる大径筒部１９ａと、該大径筒部１９ａの下端から一体に延設されてリード線（図示省略）等のガイド部となる小径筒部１９ｂとからなっており、該小径筒部１９ｂは、前記本体１の内底部に配設された制御基板２１を貫通している。このようにすると、リード線等の配索が容易となるとともに、制御基板２１を切除する部分が可及的に小さくできることとなる。符号２２は冷却ファン、２３はヒートシンク、２４は磁気遮閉板であり、該磁気遮閉板２４は、金属製の外ケース１１が存在している部位においては前記袴部８ａに沿う円弧部２４ａとされ、金属製の外ケース１１が存在していない部位（即ち、後述する操作パネル部２７と対向している部位）においては直線部２４ｂとされている。このようにした理由は、ＩＨコイル４からの磁気漏れにより金属製の外ケース１１が誘導加熱されることのないようにするためであり、操作パネル部２７においては誘導加熱される金属が存在していないため磁気遮閉が不十分でも問題とならないためである。
【００１８】
前記天面プレート３の外周縁部は、前記外郭部材８と該外郭部材８に取り付けられる合成樹脂製の環状の位置決め部材１３との間に挟持固定されることとなっている。
【００１９】
図３に示すように、前記外郭部材８と前記コイルダイ９との間を連結する連結部１４には、凹部１５，１５・・が形成される一方、前記位置決め部材１３の下面には、前記各凹部１５に嵌挿される突部１６が一体に突設されている。また、前記外ケース１１は、前記外郭部材８における袴部８ａの上下端部に係合する上部および下部係合部１１ａ，１１ｂが一体に形成されている。
【００２０】
そして、前記外郭部材８の袴部８ａの外面に外ケース１１を被せ、該袴部８ａにおける上下端部に対して外ケース１１の上部および下部係合部１１ａ，１１ｂを係合させ、さらに、コイルダイ９上に天面プレート３を載置し、その状態で位置決め部材１３の突部１６を外郭部材連結部１４の凹溝１５に嵌挿し、該突部１６に対して下方からビス１７を螺着すると、天面プレート３の外周縁部は、位置決め部材１３の内周縁部１３ａと外郭部材連結部１４との間に挟持されるとともに、外ケース１１の上部係合部１１ａは、位置決め部材１３の外周縁部１３ｂと外郭部材袴部８ａの上端との間に挟持されることとなる。このとき、位置決め部材１３の内周縁部１３ａの内径は、調理容器２の底部に設けられる発熱部２ａと接触しないように設定するのが、位置決め部材１３の耐熱性を確保する上で望ましい。このようにすると、天面プレート３と外郭部材８との結合構造を簡略化できることとなり、組付作業性が向上する。
【００２１】
前記外郭部材８と一体に形成されているコイルダイ９と底ケース７とは、コイルダイ９および底ケース７から一体に突設された取付ボス２５，２６をビス（図示省略）を用いて締結することにより結合されることとなっている。
【００２２】
前記外郭部材８の側周部（即ち、袴部８ａ）には、操作パネル部２７を取り付けるための切欠部２８が形成されている。本実施の形態においては、操作パネル部２７は、底ケース７の一部をも構成している。このようにすると、外郭部材８を操作パネル部２７の位置決め部材として利用できることとなり、構造の簡略化を図ることができる。
【００２３】
上記のように構成したことにより、外郭部材８における側周部である袴部８ａの外周に金属製の外ケース１１を取り付けることができることとなり、金属製の外ケース１１の形状保持が容易に行えることとなる。従って、金属製の外ケース１１を用いることによるデザイン性の向上を図り得るとともに、外郭部材８が金属製の外ケース１１に対する絶縁物として作用することとなる。また、外郭部材８とＩＨコイル４，４を支持するためのコイルダイ９とフェライトコア５，５・・を支持するためのコアダイ１０，１０・・とを合成樹脂の一体成形品により構成できることとなり、部品点数および組付工数の低減を図ることができる。
【００２４】
【発明の効果】
本願発明の第１の手段によれば、調理容器が載置される天面プレートを有し且つ前記調理容器を誘導加熱する電磁誘導コイルを内部に有する本体と、該電磁誘導コイルの下方に位置して該電磁誘導コイルの磁界の下方への伝搬を遮断するフェライトコアと、前記調理容器の温度を検出する温度検出手段とを備えた誘導加熱式調理器において、前記本体の外郭部材を、前記電磁誘導コイルを支持するためのコイルダイおよび前記フェライトコアを支持するためのコアダイとともに合成樹脂の一体成形品により構成するとともに、前記外郭部材における側周部を下方に向かうに従って径が大きくなる袴部で構成し且つ該袴部の外周に金属製の外ケースを取り付けて、外郭部材における側周部である袴部の外周に金属製の外ケースを取り付けることができるようにしたので、金属製の外ケースの形状保持が容易に行えることとなり、金属製の外ケースを用いることによるデザイン性の向上を図り得るとともに、外郭部材が金属製の外ケースに対する絶縁物として作用するという効果がある。また、外郭部材と電磁誘導コイルを支持するためのコイルダイとフェライトコアを支持するためのコアダイとを合成樹脂の一体成形品により構成できることとなり、部品点数および組付工数の低減を図ることができるという効果もある。
【００２５】
本願発明の第２の手段におけるように、上記第１の手段を備えた誘導加熱式調理器において、前記コイルダイの中央部に、前記温度検知手段を取り付けることもでき、そのようにした場合、外郭部材と一体構成のコイルダイを温度検知手段の取付部材として利用できることとなり、さらなる部品点数および組付工数の低減を図り得ることとなる。
【００２６】
本願発明の第３の手段におけるように、上記第１又は第２の手段を備えた誘導加熱式調理器において、前記天面プレートの外周縁部を、前記外郭部材と該外郭部材に取り付けられる環状の位置決め部材との間に挟持固定することもでき、そのようにした場合、天面プレートと外郭部材との結合構造を簡略化できることとなり、組付作業性が向上する。
【００２７】
本願発明の第４の手段におけるように、上記第１、第２又は第３の手段を備えた誘導加熱式調理器において、前記外郭部材の側周部に、操作パネル部を取り付けるための切欠部を形成することもでき、そのようにした場合、外郭部材を操作パネル部の位置決め部材として利用できることとなり、構造の簡略化を図ることができる。
【図面の簡単な説明】
【図１】本願発明の実施の形態にかかる誘導加熱式調理器の平面図である。
【図２】図１のＩＩ−ＩＩ断面図である。
【図３】本願発明の実施の形態にかかる誘導加熱式調理器の要部拡大断面図である。
【図４】図１のＩＶ−ＩＶ断面図である。
【図５】図２のＶ−Ｖ断面図である。
【図６】図２のＶＩ−ＶＩ断面図である。
【符号の説明】
１は本体、２は調理容器、３は天面プレート、４は電磁誘導コイル（ＩＨコイル）、５はフェライトコア、６は温度検出手段（温度センサー）、７は底ケース、８は外郭部材、８ａは袴部、９はコイルダイ、１０はコアダイ、１１は外ケース、１１ａは上部係合部、１１ｂは下部係合部、１２はセンサーユニット、１３は位置決め部材、１４は連結部、１５は凹部、１６は突部、２７は操作パネル部、２８は切欠部。
【図１】
2004349103.tif 000003
【図２】
2004349103.tif 000004
【図３】
2004349103.tif 000005
【図４】
2004349103.tif 000006
【図５】
2004349103.tif 000007
【図６】
2004349103.tif 000008